(57)【要約】      （修正有）【課題】従来技術をさらに発展させた、会議システムの代表ユニットのマイクロフォンに複数の状態を表示する方法を提供する。【解決手段】マイクロフォンの少なくとも１つのインディケータは、会議システムの代表ユニットが少なくとも１つの第１の状態にある場合には第１の色の光を放射し、インディケータは、会議システムの代表ユニットが第１の状態とは異なる少なくとも１つの第２の状態にある場合には第２の色の光を放射する。【選択図】図４
2006217593.tif 000002
【特許請求の範囲】
【請求項１】
会議システムの代表ユニットのマイクロフォンに複数の状態を表示する方法において、
前記マイクロフォンの少なくとも１つのインディケータは、前記会議システムの前記代表ユニットが少なくとも１つの第１の状態にある場合には第１の色の光を放射し、
前記インディケータは、前記会議システムの前記代表ユニットが前記第１の状態とは異なる少なくとも１つの第２の状態にある場合には第２の色の光を放射することを特徴とする、会議システムの代表ユニットのマイクロフォンに状態を表示する方法。
【請求項２】
前記マイクロフォンの前記インディケータは、前記マイクロフォンがアクティブである場合には、マイクロフォン・オン状態を表示する前記第１の色の定常的な光を放射する、請求項１記載の方法。
【請求項３】
前記マイクロフォンの前記インディケータは、発言の残り時間に関するタイマが所定の時間よりも小さい場合には、終了直前状態を表示する前記第１の色の点滅する光を放射する、請求項１または２記載の方法。
【請求項４】
前記マイクロフォンの前記インディケータは、前記代表ユニットの発言要求ボタンがアクティブである場合には、発言要求状態を表示する前記第２の色の定常的な光を放射する、請求項１から３までのいずれか１項記載の方法。
【請求項５】
前記マイクロフォンの前記インディケータは、前記代表ユニットの発言要求が発言要求のリストにおける最初の発言要求である場合には、次の発言者状態を表示する前記第２の色の点滅する光を放射する、請求項１から４までのいずれか１項記載の方法。
【請求項６】
前記第１の色は赤である、および／または、前記第２の色は緑である、および／または、前記第２の色は黄色である、請求項１から５までのいずれか１項記載の方法。
【請求項７】
会議システムの代表ユニット用のマイクロフォンにおいて、
少なくとも１つのインディケータを有し、該インディケータは、前記会議システムの前記代表ユニットの少なくとも１つの第１の状態を表示する第１の色の光を放射し、
前記インディケータは、前記代表ユニットの第１の状態とは異なる、前記会議システムの前記代表ユニットの少なくとも１つの第２の状態を表す第２の色の光を放射することを特徴とする、会議システムの代表ユニット用のマイクロフォン。
【請求項８】
前記インディケータは２色インディケータである、および／または、多色インディケータである、請求項７記載のマイクロフォン。
【請求項９】
前記インディケータはリング状である、請求項７または８記載のマイクロフォン。
【請求項１０】
前記インディケータは少なくとも１つのプリント回路基板と、少なくとも１つのＬＥＤとを有する、請求項７から９までのいずれか１項記載のマイクロフォン。
【請求項１１】
会議システム用の代表ユニットにおいて、
少なくとも１つのマイクロフォンを有し、該マイクロフォンは少なくとも１つのインディケータを有し、
前記インディケータは、前記代表ユニットが少なくとも１つの第１の状態にある場合には第１の色の光を放射し、
前記インディケータは、前記代表ユニットが前記第１の状態とは異なる少なくとも１つの第２の状態にある場合には第２の色の光を放射することを特徴とする、会議システム用の代表ユニット。
【請求項１２】
発言要求ボタンおよび／またはメモリとのインタフェースをさらに有し、前記インタフェースは前記メモリに記憶されている発言要求のリストへのアクセスに適合されている、請求項１１記載の代表ユニット。
【請求項１３】
前記インディケータの制御に適合されており、該インディケータは前記発言要求がアクティブである場合には第２の色の定常的な光を放射する、請求項１２記載の代表ユニット。
【請求項１４】
前記インディケータの制御に適合されており、該インディケータは前記代表ユニットの発言要求が発言要求のリストにおける最初の発言要求である場合には第２の色の点滅する光を放射する、請求項１２または１３記載の代表ユニット。
【発明の詳細な説明】
【技術分野】
【０００１】
本発明は、会議システムの代表ユニットのマイクロフォンに複数の状態を表示する方法、会議システムの代表ユニット用のマイクロフォンおよび会議システム用の代表ユニットに関する。
【背景技術】
【０００２】
例えば引用文献１から、中央制御部およびこの中央制御部と接続されている複数の加入者機器を備えた装置が公知である。各加入者機器はマイクロフォンおよび関連する操作素子を有する。
【特許文献１】EP 0224 754 A1
【発明の開示】
【発明が解決しようとする課題】
【０００３】
本発明の課題は従来技術をさらに発展させた、会議システムの代表ユニットのマイクロフォンに複数の状態を表示する方法、会議システムの代表ユニット用のマイクロフォンおよび会議システム用の代表ユニットを提供することである。
【課題を解決するための手段】
【０００４】
会議ユニットの代表ユニットのマイクロフォンに複数の状態を表示する方法に関する課題は、マイクロフォンの少なくとも１つのインディケータは、会議システムの代表ユニットが少なくとも１つの第１の状態にある場合には第１の色の光を放射し、インディケータは、会議システムの代表ユニットが第１の状態とは異なる少なくとも１つの第２の状態にある場合には第２の色の光を放射することによって解決される。
【０００５】
会議システムの代表ユニット用のマイクロフォンに関する課題は、少なくとも１つのインディケータを有し、インディケータは、会議システムの代表ユニットの少なくとも１つの第１の状態を表示する第１の色の光を放射し、インディケータは、代表ユニットの第１の状態とは異なる、会議システムの代表ユニットの少なくとも１つの第２の状態を表す第２の色の光を放射することによって解決される。
【０００６】
会議システム用の代表ユニットに関する課題は、マイクロフォンは少なくとも１つのインディケータを有し、インディケータは、代表ユニットが少なくとも１つの第１の状態にある場合には第１の色の光を放射し、インディケータは、代表ユニットが第１の状態とは異なる少なくとも１つの第２の状態にある場合には第２の色の光を放射することによって解決される。
【発明を実施するための最良の形態】
【０００７】
代表ユニットのマイクロフォンに複数の状態を表示する方法、代表ユニット用のマイクロフォンおよび会議システム用の代表ユニットは従来技術とは異なり、現在の発言者、他の代表および会議の聴衆は、誰が発言しているか、および／または、誰が発言要求を行ったか、および／または、誰が次の発言者になるか、および／または、次の発言者が何処にいるかが分かるという利点を有する。代表ユニットのマイクロフォンにおけるインディケータ（光源）の第２の色によって、会議の出席者はどの代表ユニットが発言要求状態にあるか、および／または、次の発言者状態にあるかを識別することができ、このことは現在の発言者、他の代表および聴衆が次の発言者を事前に察することができるという利点を有する。
【０００８】
さらなる利点は従属請求項および以下の説明より明らかになる。
【０００９】
本発明の実施例を図面に示し、以下詳細に説明する。
【実施例】
【００１０】
以下では、代表ユニットのマイクロフォンに複数の状態を表示する方法、代表ユニット用のマイクロフォンおよび会議ユニット用の代表ユニットを説明する。発言要求状態は代表ユニットのマイクロフォンにおける定常の緑色のインディケータによって表示され、他の代表および会議の聴衆に対して可視である。さらに次の発言者状態は代表ユニットのマイクロフォンにおける点滅する緑色のインディケータによって表示され、他の代表および会議の聴衆に対して可視である。有利には、代表ユニットのマイクロフォンにおけるインディケータは少なくとも１つの２色インディケータおよび／または少なくとも１つの多色インディケータである。
【００１１】
図１は、会議ユニット１０、議長ユニット１２、中央制御ユニット２０およびオーディオ通信ネットワーク２４を含む会議システムのブロック図を示す。会議ユニット１０、議長ユニット１２、通訳ユニット１４、言語同報ユニット１６および中央制御ユニット２０はオーディオ通信ネットワーク２４に接続されている。有利な実施形態においては、信号伝送および信号処理がディジタルオーディオ技術によって行われる。
【００１２】
会議ユニット１０はネットワークプロトコル変換器２６、アナログ・ディジタル変換器２８、スピーカ５０、ヘッドフォン５１およびマイクロフォン５８を含む。有利な実施形態においては会議ユニット１０によって、会議の参加者は聴く、話す、発言要求を登録する、および議場の言語の同時的な通訳を受信するための機能にアクセスすることができる。会議ユニット１０の実施形態は図２に示されている。
【００１３】
議長ユニット１２はネットワークプロトコル変換器２６、アナログ・ディジタル変換器２８、ヘッドフォン５１およびマイクロフォン５８を含む。有利な実施形態においては、議長ユニット１２は会議の進行の制御に適合されている。さらには、議長ユニット１２はアクティブなマイクロフォンを一時的にミュートするマイクロフォン優先システムを有する。
【００１４】
通訳ユニット１４はネットワークプロトコル変換器２６、アナログ・ディジタル変換器２８、ヘッドフォン５１およびマイクロフォン５８を含み、同時通訳を行い、会議ユニット１０、議長ユニット１２および言語同報ユニット１６と接続されているオーディオ通信ネットワーク２４を介して会議の参加者に通訳を同報することができる。
【００１５】
言語同報ユニット１６はネットワークプロトコル変換器２６、アナログ・ディジタル変換器２８およびヘッドフォン５１を含み、会議に出席している人々は何ら寄与的な役割を果たさずとも、このヘッドフォン５１を介してあらゆる通訳を聴くことができる。
【００１６】
中央制御ユニット２０はネットワークプロトコル変換器２６、アナログ・ディジタル変換器２８、読み出し専用メモリ（ＲＯＭ）３４、ランダムアクセスメモリ（ＲＡＭ）３６、フラッシュＥＰＲＯＭ３８およびディジタル信号プロセッサ（ＤＳＰ）４０を含む。有利な実施形態においては、中央制御ユニット２０は自動的な会議制御およびマイクロフォン管理を提供する。ネットワークプロトコル変換器２６はアナログ・ディジタル変換器２８をオーディオ通信ネットワーク２４に接続し、ネットワークプロトコルを提供する。ここでアナログ・ディジタル変換器２８は、オーディオ通信ネットワーク２４からのディジタル信号をオーディオ信号に変換し、またオーディオ信号をディジタル信号に変換するアナログからディジタルへの変換器とディジタルからアナログへの変換器とが組み合わされたものである。
【００１７】
図２は処理装置４２およびマイクロフォン５８を有する会議ユニット１０のブロック図を示す。さらに会議ユニットは発言要求ボタン４４、会議ユニット１０におけるマイクロフォン・オン・インディケータ４６、会議ユニット１０における発言要求インディケータ４８およびスピーカ５０を有する。有利な実施形態においては、処理装置４２が会議ユニット１０を制御し、オーディオ通信ネットワーク２４との双方向信号コネクションを提供する。
【００１８】
処理装置４２はネットワークプロトコル変換器およびアナログ・ディジタル変換器を含む。会議ユニット１０におけるマイクロフォン・オン・インディケータ４６は代表に対してその代表の会議ユニット１０のマイクロフォン・オン状態を表示し、会議ユニット１０における発言要求インディケータ４８は代表に対してその代表の会議ユニット１０の発言要求状態を表示する。
【００１９】
有利な実施形態においては、会議ユニット１０におけるマイクロフォン・オン・インディケータ４６は赤色のＬＥＤであり、会議ユニット１０における発言要求インディケータ４８は緑色または黄色のＬＥＤである。さらには、マイクロフォン・オン・インディケータ４６は発言の終了直前を表示するために点滅する。
【００２０】
有利な実施形態においては、会議ユニット１０におけるマイクロフォン・オン・インディケータ４６および会議ユニット１０における発言要求インディケータ４８は単一の２色インディケータである。さらには、マイクロフォン５８はコンデンサマイクロフォン５２、マイクロフォン５８におけるマイクロフォン・オン・インディケータ５４およびマイクロフォン５８における発言要求インディケータ５６を含む。マイクロフォン５８におけるマイクロフォン・オン・インディケータ５４は全ての代表および会議の聴衆にどのマイクロフォン５８がオンであるかを表示し、マイクロフォン５８における発言要求インディケータ５６は全ての代表および会議の聴衆に誰が発言要求を行ったか、および／または、誰が次の発言者になるか、および／または、どこにその代表が位置しているかを表示する。別の実施形態においては、会議ユニット５８におけるマイクロフォン・オン・インディケータ５４および会議ユニット５８における発言要求インディケータ５６は２つの別個のインディケータではなく、２色インディケータによって実現される。
【００２１】
図３は、アイドル状態６０、発言要求状態６２、次の発言者状態６４、マイクロフォン・オン・状態６６および終了直前状態６８を含む、会議ユニットの状態遷移図を示す。会議ユニットのロジックはアイドル状態６０で開始する。
【００２２】
アイドル状態６０は、会議ユニットおよびマイクロフォンに何も表示されていない状態に対応する。発言要求ボタンが押され、且つ発言要求のリストが一杯である場合には、アイドル状態６０から発言要求状態６２へと遷移８０する。
【００２３】
発言要求状態６２は、会議ユニットにおける発言要求インディケータおよびマイクロフォンにおける発言要求インディケータが定常的な緑色の光を放射する状態に対応する。有利な実施形態においては要求が中央で記憶される。要求が中央制御ユニットのメモリ、有利にはランダムアクセスメモリ（ＲＡＭ）内の発言要求リストに記憶される。このことは発言要求のリスト順序を決定するために必要である。発言要求ボタンが押されると、会議ユニットは発言要求を表すメッセージを中央制御ユニットに伝送する。中央制御ユニットはこの発言要求を発言要求のリストに記憶する。発言要求のリストが一杯である場合には、中央制御ユニットは会議ユニットの発言要求インディケータを定常的にアクティブにする。会議ユニットの発言要求が発言要求のリストにおける最初の発言要求である場合には、発言要求状態６２から次の発言者状態６４に遷移８２する。
【００２４】
次の発言者状態６４は、会議ユニットにおける発言要求インディケータおよびマイクロフォンにおける発言要求インディケータが点滅する緑色の光を放射する状態に対応する。有利な実施形態においては、中央制御ユニットが発言要求インディケータを制御する。特定の会議ユニットの発言要求が発言要求のリストにおける最初の発言要求である場合には、中央制御ユニットはこの会議ユニットの発言要求インディケータを明滅的にアクティブにする。実際の発言者の準備ができた場合には、次の発言者状態６４からマイクロフォン・オン状態６６に遷移８４する。
【００２５】
マイクロフォン・オン状態６６は、会議ユニットにおけるマイクロフォン・オン・インディケータおよびマイクロフォンにおけるマイクロフォン・オン・インディケータが定常的な赤色の光を放射し、マイクロフォンがアクティブである状態に対応する。発言の残り時間に関するタイマが所定の時間よりも小さい場合には、マイクロフォン・オン状態６６から終了直前状態６８に遷移８６する。
【００２６】
終了直前状態６８は、会議ユニットにおけるマイクロフォン・オン・インディケータおよびマイクロフォンにおけるマイクロフォン・オン・インディケータが点滅する赤い光を放射し、マイクロフォンがアクティブである状態に対応する。所定の時間は３０秒から１２０秒であり、有利には６０秒である。
【００２７】
発言要求状態６２または次の発言者状態６４またはマイクロフォン・オン状態６６または終了直前状態６８において、発言要求ボタンが押された場合には、発言要求状態６２または次の発言者状態６４またはマイクロフォン・オン状態６６または最後の状態６８からアイドル状態６０に遷移７０，７２，７４，７６する。発言要求ボタンが押され、且つ発言要求のリストが空である場合には、アイドル状態６０からマイクロフォン・オン状態６６へと遷移７８する。
【００２８】
図４は会議ユニットのマイクロフォン５８を示し、このマイクロフォン５８はコネクタ９０、調節可能なステム９２、ステム９４、インディケータリング９６、ウィンドウシールド９８およびプロップ（plop）シールド１００を有する。コネクタ９０は会議ユニットのソケットとプラグ接続される。マイクロフォンのこの実施形態においては、発言要求インディケータおよびマイクロフォン・オン・インディケータがマイクロフォン５８におけるリング状の２色インディケータ９６によって実現されている。
【００２９】
図５は会議ユニットの別のマイクロフォン５８を示し、このマイクロフォン５８はコネクタ９０、調節可能なステム９２、ステム９４、インディケータ９７、ウィンドウシールド９８およびプロップシールド１００を有する。コネクタ９０は会議ユニットのソケットとプラグ接続される。マイクロフォンのウィンドウシールドの領域においては、ケーシングに６つの凹部が設けられており、この凹部が発光領域９７として使用される。ケーシングはシリンダの形状である。凹部は同心円に配列されている。発光領域９７は６つのＬＥＤ、すなわち３つの緑色のＬＥＤおよび３つの赤色のＬＥＤによって発光する。ただ１つの色しか同時に発光しない。
【００３０】
ＬＥＤはプリント回路基板（ＰＣＢ）に実装される。プリント回路基板は白色に着色されている。プリント回路基板のより一般的な色である緑の代わりに白色を使用することは、光がより良好に反射するという利点を有する。要約すれば、発言要求インディケータは３つの緑色のＬＥＤによって実現され、マイクロフォン・オン・インディケータは３つの赤色のＬＥＤによって実現される。
【００３１】
別の実施形態においては、発言要求インディケータが少なくとも１つの緑色の電球および／または少なくとも１つの黄色の電球によって実現されており、マイクロフォン・オン・インディケータは赤色の電球によって実現されている。別の実施形態においては、発言要求インディケータおよびマイクロフォン・オン・インディケータがマイクロフォンにおける少なくとも１つの２色インディケータ、有利には少なくとも１つの２色ＬＥＤによって実現されている。
【００３２】
有利な実施形態においては、代表とは会議に出席している発言の機会を有する人間を意味する。以上説明した方法は上記の会議ユニットに制限されるものではなく、一般に代表ユニットに適用することができ、この場合代表ユニットは審議ユニットおよび／または会議ユニットおよび／または議長ユニットを含む。会議システムが言及される場合には、審議システムおよび／または議会システムも意図される。さらに、発言要求ボタンが言及される場合には、「マイクロフォン・オン／オフボタン」または「マイクロフォン・オン／オフまたは発言要求ボタン」も意図される。
【図面の簡単な説明】
【００３３】
【図１】会議システムのブロック図。
【図２】会議ユニットのブロック図。
【図３】会議ユニットの状態遷移図。
【図４】マイクロフォンの第１の実施例
【図５】マイクロフォンの第２の実施例
【図１】
2006217593.tif 000003
【図２】
2006217593.tif 000004
【図３】
2006217593.tif 000005
【図４】
2006217593.tif 000006
【図５】
2006217593.tif 000007